(57)【要約】【課題】符号分割多重接続システムにおいて、端末に対するＩＰアドレス割り当て方法を提供する。【解決手段】移動通信システムにおいて端末にＩＰアドレスを割り当てる方法は、ＩＰアドレス割り当てを受けることのできる資格の等級を示す端末の等級情報を貯蔵するデータベースを設定する過程と、端末に対するＩＰアドレス割り当ての要請を受けると、前記データベースから当該端末の等級を確認する過程と、割り当て可能なＩＰアドレスをもつ各等級のＩＰアドレスプールのうち当該端末の等級に従うＩＰアドレスプールを選択する過程と、この選択したＩＰアドレスプールから割り当てできるＩＰアドレスを選択して該当の端末に割り当てる過程と、からなる。【選択図】　図５
2004104800.tif 000002
【特許請求の範囲】
【請求項１】
　移動通信システムにおける端末へのＩＰアドレス割り当て方法において、
　ＩＰアドレス割り当てを受けることのできる資格の等級を示す端末の等級情報を貯蔵するデータベースを設定する過程と、
　端末に対するＩＰアドレス割り当ての要請を受けると、前記データベースから当該端末の等級を確認する過程と、
　割り当て可能なＩＰアドレスをもつ各等級のＩＰアドレスプールのうち、前記端末の等級に従うＩＰアドレスプールを選択する過程と、
　この選択されたＩＰアドレスプールから割り当てできるＩＰアドレスを選択して前記端末に割り当てる過程と、
からなることを特徴とするＩＰアドレス割り当て方法。
【請求項２】
　移動通信システムにおける端末へのＩＰアドレス割り当て方法において、
　各端末固有の識別情報に対し割り当てるべきＩＰアドレスを対応付けたマッピングテーブルを設定する過程と、
　端末に対するＩＰアドレス割り当ての要請を受けると、前記マッピングテーブルから当該端末の識別情報に従い割り当てできるＩＰアドレスを選択する過程と、
からなることを特徴とするＩＰアドレス割り当て方法。
【請求項３】
　端末固有の識別情報は、ＭＩＮ(Mobile Identification Number)又はＩＭＳＩ(International Mobile Subscriber Identity)のいずれかである請求項２記載のＩＰアドレス割り当て方法。
【請求項４】
　ＩＰアドレス割り当てを受けることのできる資格の等級を示す複数の端末の等級情報を貯蔵する第１ユニットと、
　端末からＩＰアドレス割り当ての要請があると、前記第１ユニットに前記等級情報の返信を要求し、該返信された等級情報に従い、割り当て可能なＩＰアドレスをもつ各等級のＩＰアドレスプールから、該当する等級のＩＰアドレスプールを選択し、該選択したＩＰアドレスプールからＩＰアドレスを選択する第２ユニットと、
を含むノード装置。
【請求項５】
　端末を特定する情報に対し割り当てるべきＩＰアドレスを対応付けたマッピングテーブルを貯蔵する第１ユニットと、
　端末からＩＰアドレス割り当ての要請があると、該端末を特定する情報に従い、前記第１ユニットのマッピングテーブルから割り当て可能なＩＰアドレスを選択する第２ユニットと、
を含むノード装置。
【請求項６】
　第１ユニットは、端末を特定する情報をキー値として該端末の等級を貯蔵する請求項４記載のノード装置。
【請求項７】
　第１ユニットは、データベースである請求項４又は請求項５記載のノード装置。
【請求項８】
　第２ユニットは、ＰＤＳＮ(Packet Data Serving Node)である請求項４又は請求項５記載のノード装置。
【請求項９】
　端末を特定する情報は、ＩＭＳＩ(International Mobile Subscriber Identity)またはＭＩＮ(Mobile Identification Number)のいずれかである請求項５又は請求項６記載のノード装置。
【請求項１０】
　ＩＰアドレスを割り当てるためのシステムにおいて、
　コンピュータ読み取り可能な記録媒体と、
　この記録媒体にアクセスし、ＩＰアドレス割り当てを受けることのできる資格の等級を示す端末の等級情報を貯蔵するデータベースを設定する過程と、端末に対するＩＰアドレス割り当ての要請を受けると、前記データベースから当該端末の等級を確認する過程と、割り当て可能なＩＰアドレスをもつ各等級のＩＰアドレスプールのうちから、前記端末の等級に従うＩＰアドレスプールを選択する過程と、この選択されたＩＰアドレスプールから割り当てできるＩＰアドレスを選択して前記端末に割り当てる過程と、を実行するようプログラムされるプロセッサと、
を含むことを特徴とするシステム。
【請求項１１】
　移動通信システムにおける端末の等級によってＩＰアドレスを割り当てるものである請求項１１記載のシステム。
【請求項１２】
　ＩＰアドレスを割り当てるためのシステムにおいて、
　コンピュータ読み取り可能な記録媒体と、
　この記録媒体にアクセスし、各端末固有の識別情報に対し割り当てるべきＩＰアドレスを対応付けたマッピングテーブルを設定する過程と、端末に対するＩＰアドレス割り当ての要請を受けると、前記マッピングテーブルから当該端末の識別情報に従い割り当てできるＩＰアドレスを選択する過程と、を実行するようプログラムされるプロセッサと、
を含むことを特徴とするシステム。
【請求項１３】
　移動通信システムにおける端末に対しＩＰアドレスを割り当てるものである請求項１２記載のシステム。
【発明の詳細な説明】
【技術分野】
【０００１】
　本発明は、符号分割多重接続(Code Division Multiple Access: 以下、ＣＤＭＡと称する)システムにおける端末に対するＩＰアドレス割り当て方法に関し、特に、端末の等級に応じるＩＰアドレス割り当て方法に関する。
【背景技術】
【０００２】
　構内用ＣＤＭＡ２０００パケットデータシステムである３Ｇ−１ｘインフォモバイル(InfoMobile)及び構内データサービスを支援するＣＤＭＡ２０００ ＥＶＤＯ(Evaluation Data Only)システムは、公衆ネットワークＰＤＳＮ(Packet Data Serving Node)及びデータサービス装備をシステム内部の機能モジュールで具現して無線パケットインターネットサービスを支援する。３Ｇ−１ｘシステムにおいては、ＧＡＮ ＡＴＭ(Global Access Network Asynchronous Transfer Mode)スイッチに接続されているＲＰＰ(Radio access network-Packet data network interface Processor)ボードを構内ＢＳＣ(Base Station Controller)システムに実装して、既存のＡ−Ｒ(ATP(Air Terminal Processor)-RPP)、Ｒ−Ｐ(RPP-PDSN)インターフェース機能及びＰＤＳＮの一部機能を遂行する。さらに、構内データサービスを支援するＣＤＭＡ２０００ ＥＶＤＯシステムにおいては、構内データサービスのためにＰＣＦ(Packet Control Function)及びｐＰＤＳＮを備えて構内データをサービスする。３Ｇ−１ｘのｐＰＤＳＮ、そしてＥＶＤＯのＰＣＦ及びｐＰＤＳＮは、すべてが次のような機能を遂行する。第１に、構内パケット呼に対するパケット呼制御及び状態遷移(packet call control & state transition)機能を遂行する。第２に、構内無線パケットインターネットサービスのためのＰＰＰ(Point-to-Point Protocol)デーモン(daemon)機能を遂行する。第３に、パケットデータに対するトラヒックシグナリング及びＰＮＡ(Packet Network Architecture)機能を遂行する。第４に、ドーマントバッファリング及び呼出要請(Dormant buffering & Paging Request)、パケットリンク登録(Packet Link Register)、そしてパケットＯ＆Ｍ(Operation & Management)機能を遂行する。
【０００３】
　３Ｇ−１ｘのｐＰＤＳＮ、ＥＶＤＯのＰＣＦ及びｐＰＤＳＮは、内部的にｐＰＤＰ(private Packet Data Serving node Processor)、ＰＤＣＣ(Packet Data Call Control)、ＰＤＴＣ(Packet Data Traffic Control)、及びＰＤＭＡ(Packet Data Maintenance Administration)から構成される。
【０００４】
　ＰＤＣＣ(Packet Data Call Control)モジュールは、ＡＴＰとＤＣＮ(Data Communication Network)との間で端末のデータ送受信のために必要なＲＰ(Radio access network-Packet data network)コネクションの生成／終了などの管理及びパケット呼に対するステート(state)の処理を遂行する。ＰＤＴＣ(Packet Data Traffic Control)モジュールは、ＡＴＰとＤＣＮとの間でデータ送受信を担当する。ＰＤＭＡ(Packet Data Maintenance Administration)モジュールは、Ｏ＆Ｍ機能ブロックとのインターフェースを担当するモジュールである。ＰＤＭＡは、Ｏ＆Ｍ機能ブロックとのインターフェース以外にＡＴＰとのリンク状態点検、また、ＤＣＮとのリンク状態点検などを遂行する。
【０００５】
　一方、３Ｇ−１ｘのＰＤＴＣ及びＥＶＤＯのｐＰＤＳＮが、ＰＰＰ(Point-to-Point Protocol)デーモンを担当するブロックと端末との間におけるＰＰＰのＩＰアドレス割り当て(ＩＰアドレスＣＰ)(Internet Protocol Control Protocol)に関連した処理を担当する。この処理で、ＩＰアドレス割り当ては以下のような過程により遂行される。
【０００６】
　ＰＰＰ設定過程は、ＭＮ(Mobile Node)、ＰＣＦ、ｐＰＤＳＮ、及びＡＡＡ(Administration, Authorization, and Authentication)間の信号フローを通して遂行される。従来のＰＰＰ設定過程は、具体的にには、ＭＮがｐＰＤＳＮに送信するＩＰアドレスＣＰ＿Ｃｏｎｆｉｇ＿Ｒｅｑメッセージによって、ＰＰＤ(Point-To-Point Protocol Daemon)がＩＰアドレスプール (Pool)に貯蔵されているＩＰアドレスを順に割り当てることによって遂行される。つまり、従来においては、ＩＰアドレス割り当ての要請順で端末にＩＰアドレスを割り当てる方式を使用している。このようにＩＰアドレス割り当て要請順で端末にＩＰアドレスを割り当てる方式によっては、等級に応じてＩＰアドレスを割り当てることができない。しかしながら、特定の端末の等級によっては特定のＩＰアドレスを割り当てる必要が発生することがある。
【発明の開示】
【発明が解決しようとする課題】
【０００７】
　上記課題を解決するための本発明の目的は、端末の等級に応じるＩＰアドレス割り当て方法を提供することにある。
【０００８】
　本発明の他の目的は、セキュリティのために要求される費用が低減できる端末へのＩＰアドレス割り当て技術を提供することにある。
【０００９】
　本発明のまた他の目的は、具現が容易で、低コストである端末へのＩＰアドレス割り当て技術を提供することにある。
【００１０】
　本発明のさらに他の目的は、特に、符号分割多重接続システムにおいて、任意の端末使用者に提供されるサービスにより適した装置及び技術を提供することにある。
【課題を解決するための手段】
【００１１】
　このような目的を達成するため、本発明に係る移動通信システムで端末にＩＰアドレスを割り当てる方法は、ＩＰアドレス割り当てを受けることのできる資格の等級を示す端末の等級情報を貯蔵するデータベースを設定する過程と、端末に対するＩＰアドレス割り当ての要請を受けると、そのデータベースから当該端末の等級を確認する過程と、割り当て可能なＩＰアドレスをもつ各等級のＩＰアドレスプールのうち、確認された端末の等級に従うＩＰアドレスプールを選択する過程と、この選択されたＩＰアドレスプールから、割り当てできるＩＰアドレスを選択して該当端末に割り当てる過程と、からなることを特徴とする。
【００１２】
　あるいは、本発明に係る移動通信システムで端末にＩＰアドレスを割り当てる方法は、各端末固有の識別情報に対し割り当てるべきＩＰアドレスを対応付けたマッピングテーブルを設定する過程と、端末に対するＩＰアドレス割り当ての要請を受けると、前記マッピングテーブルから当該端末の識別情報に従い割り当てできるＩＰアドレスを選択する過程と、からなることを特徴とする。
【発明の効果】
【００１３】
　本発明を適用し、端末の等級に応じてＩＰアドレス割り当てを区分し管理することによって、システム管理者は、加入者に対する権限を調整することができる。不特定多数に開放される可能性のある情報を、サーバにおいて特定のＩＰアドレスのみに対して開放する機能を備えることによって、別のファイアウオール(firewall)を設置せずともセキュリティを確保することができ、ファイアウオールを設置するコストを低減することができる。さらに、加入者に対する差別を置いて上位等級に誘導すると共に、課金に対する差別を誘導することによって、より良好のサービスを提供することができる。
【発明を実施するための最良の形態】
【００１４】
　以下、本発明に従う好適な実施形態について添付図を参照しつつ詳細に説明する。下記の説明において、本発明の要旨のみを明確にする目的で、関連した公知機能または構成に関する具体的な説明は省略する。
【００１５】
　図面を参照すると、図１は、３Ｇ−１ｘのｐＰＤＳＮ、ＥＶＤＯのＰＣＦ及びｐＰＤＳＮの内部構造を示すブロック構成図である。図１に示すように、３Ｇ−１ｘのｐＰＤＳＮ、ＥＶＤＯのＰＣＦ及びｐＰＤＳＮは、内部的にｐＰＤＰ(private Packet Data Serving node Processor)１００、ＰＤＣＣ(Packet Data Call Control)１１０、ＰＤＴＣ(Packet Data Traffic Control)１２０、及びＰＤＭＡ(Packet Data Maintenance Administration)１３０から構成される。
【００１６】
　ＰＤＣＣ(Packet Data Call Control)モジュール１１０は、ＡＴＰとＤＣＮ(Data Communication Network)との間で端末のデータ送受信のために必要なＲＰコネクションの生成／終了などの管理及びパケット呼に対するステート(state)の処理を遂行する。ＰＤＴＣ(Packet Data Traffic Control)モジュール１２０は、ＡＴＰとＤＣＮとの間でデータ送受信を担当する。ＰＤＭＡ(Packet Data Maintenance Administration)モジュール１３０は、Ｏ＆Ｍ(Operation & Management)機能ブロックとのインターフェースを担当するモジュールである。さらに、ＰＤＭＡモジュール１３０は、Ｏ＆Ｍ機能ブロックとのインターフェース以外にＡＴＰとのリンク状態点検、またＤＣＮとのリンク状態点検などを遂行する。
【００１７】
　一方、３Ｇ−１ｘのＰＤＴＣ及びＥＶＤＯのｐＰＤＳＮがＰＰＰ(Point-to-Point Protocol)デーモンを担当するブロックと端末との間のＰＰＰのＩＰアドレス割り当て(ＩＰアドレスＣＰ)(Internet Protocol Control Protocol)に関連した処理を担当する。この処理で、ＩＰアドレス割り当ては、以下のような過程によって進行される。
【００１８】
　図２は、従来のＰＰＰ設定時のメッセージフローチャートである。
【００１９】
　図２を参照すると、ＰＰＰ設定過程は、ＭＮ(Mobile Node)２００、ＰＣＦモジュール２１０、ｐＰＤＳＮ２２０、及びＡＡＡ(Administration, Authorization, and Authentication)モジュール２３０間の信号フローを通して遂行される。従来のＰＰＰ設定過程においては、ＭＮ２００がｐＰＤＳＮ２２０に送信するＩＰアドレスＣＰ＿Ｃｏｎｆｉｇ＿Ｒｅｑメッセージ(IPCP_Config_Req)２１９によって、ＰＰＰＤ(Point-To-Point Protocol Daemon)がＩＰアドレスプール(Pool)に貯蔵されているＩＰアドレスを順に割り当てることによって遂行される。つまり、従来では、ＩＰアドレス割り当ての要請順で端末にＩＰアドレスを割り当てる方式を使用していた。このように、ＩＰアドレス割り当て要請順で端末にＩＰアドレスを割り当てる方式によっては、等級に応じてＩＰアドレスを割り当てることができない。しかしながら、特定の端末の等級によって特定のＩＰアドレスを割り当てる必要性が発生する。
【００２０】
　本発明は、端末の等級に応じるＩＰ(Internet Protocol)アドレス割り当て方法に関する。つまり、本発明は、ｐＰＤＳＮ(private Packet Data Serving Node)の主要機能の１つであるＩＰアドレス割り当てに関し、ＰＰＰ(Point-to-Point Protocol)を要請する端末の等級によって、予め設定された規則に従いＩＰアドレスを割り当てて使用するようにすることで、端末に対する管理及びサービスを制限／提供する。さらに、このようなＩＰアドレス割り当て方法を適用することによって、ＩＰアドレス環境で強力なセキュリティ機能を適用することができる。以下、本発明の実施形態において、端末の等級別にＩＰアドレスプールを備える方法と端末のＭＩＮ／ＩＭＳＩ(Mobile Identification Number/International Mobile Subscriber Identity)のように端末を区分する値などを利用して特定のＩＰアドレスを割り当てる方法の２つの方法を例にして説明する。第１に、端末の等級別にＩＰアドレスプールを備える方法を使用する時、ＰＤＳＮ(Packet Data Serving Node)は、等級数によるＩＰアドレスプールを備え、ＩＰアドレスＣＰ Ｒｅｑｕｅｓｔを受信した場合、端末の等級を貯蔵しているＤＢ(DataBase)に該当端末の等級を要請して返答を受信した後、ＩＰアドレスプールにおいてその等級に合うＩＰアドレスを割り当てる。この第１の方法を本発明の第１実施形態と称する。第２に、端末のＭＩＮ／ＩＭＳＩ値(端末を区分する値)などを利用して特定のＩＰアドレスを割り当てる方法において、ｐＰＤＳＮは、ＬＣＰ(Link Control Protocol)段階から伝送されてくる端末のＭＩＮ／ＩＭＳＩ値などを利用して、ＤＢが有しているＭＩＮ／ＩＭＳＩと割り当てるＩＰアドレスとのマッピングテーブルを参照し、端末にＩＰアドレスを割り当てる。以下、この第２の方法を本発明の第２実施形態と称する。
【００２１】
　このようなフローのためには、ｐＰＤＳＮにおいて多数のＩＰアドレスプールを管理することができるか、または、マッピングテーブルを有しているべきであり、ＩＰアドレス割り当て時、端末のＭＩＮ／ＩＭＳＩ値などを利用してＤＢに端末の等級や割り当てられるＩＰアドレスの情報を要請するフローが含まれることが望ましい。その端末の情報及び等級に対するＤＢは、ｐＰＤＳＮ自体に貯蔵するか、または、別にＤＢ用のサーバを備えて管理することができる。
【００２２】
　一方、上記のように、端末の等級によるＩＰアドレス割り当てを行うことによって、管理者は、端末に割り当てられた等級別のＩＰアドレス情報を利用して端末に対する制限を加えるか、特定の端末のみに対してサービスを提供することができる。さらに、端末別に別途の課金政策を適用することができる。例えば、Ａ等級の端末には、データサービスを無料で提供して特定のサーバに接続を許容し、Ｂ等級の端末は、有料で特定のサーバに接続するように管理することができる。また、セキュリティが強調される特定の地域においては、職員に対してセキュリティ関連事項への接続を可能にすると共に、不特定多数に対しては接続できないようにするセキュリティ対策を加えることができる。
【００２３】
　以下、本発明の実施形態が適用されるシステムに関して説明する。一方、以下の本発明の実施形態が適用されるシステムの説明において、本発明と直接関連のない部分に対してはその説明を省略する。
【００２４】
　図３は、ＣＤＭＡ２０００ ３Ｇ−１ｘシステムの構成図である。
【００２５】
　図３を参照すると、端末(図示せず)は、複数の構内基地局(ｐＢＴＳ(private Base Transceiver Station))３０２のうち少なくとも１つを通して構内基地局制御器３０４に接続される。構内基地局制御器(ｐＢＳＣ(private Base Station Controller))３０４は、ＢＭＰ(BSC Main Processor)３０９、ＢＭＰにつながれたＡＴＰ(Air Terminal Processor)３０６、ｐＢＳＭ(private Base Station Manager)３０８及びｐＰＤＳＮ(private Packet Data Serving Node)３１０を含む。ｐＢＳＣ３０４は、構内基地局３０２をパケットデータサービスノードであるｐＰＤＳＮ３１０と接続するための一種のルータ(router)であるパケット制御部(Packet Control Function: ＰＣＦ)(図示せず)を含む。
【００２６】
　ｐＰＤＳＮ３１０は、ハブ(HUB)３１２及びゲートウェイ(GateWay)３１６を通してインターネット(internet)／イントラネット(intranet)３２０に接続される。また、ｐＰＤＳＮ３１０は、ハブ３１２及びゲートウェイ３１６を通してＩＳＰ(Internet Service Provider)３２０に接続される。ｐＰＤＳＮ３１０に接続されたｐＢＳＭデータサーバ(Data Server)３１４は、本発明に従い、端末のＩＭＳＩまたはＭＩＮ番号をキー(KEY)値にして、端末(ＭＮ)の情報を貯蔵する。具体的には、データサーバ３１４は、端末の等級を貯蔵するか、端末のＭＩＮ／ＩＭＳＩと割り当てられるＩＰアドレスとの間のマッピングテーブルを貯蔵する。
【００２７】
　図４は、ＣＤＭＡ２０００ ＥＶＤＯシステムの構成図である。図４を参照すると、ＣＤＭＡ２０００ ＥＶＤＯシステムは、構内ネットワーク(Praivate Network)４００及び公衆ネットワーク(Public Network)４３０を含む。構内ネットワーク４００において端末(図示せず)は、ｐｉＢＴＳ４０６と無線で通信する。ｐｉＢＴＳ４０６は、ｐｉＢＳＣ４０４に接続されており、ｐｉＢＳＣ４０４は、私設パケットデータサービスノード(private Packet Data Service Node: ｐＰＤＳＮ)４１０を通してインターネットに接続される。私設パケットデータサービスノード４１０は、私設課金及び認証(private Authentification, Authorization, and Accounting: ＡＡＡ)サーバ４０２と必要な情報を交換して端末にパケットデータサービスを提供する。ｐｉＢＳＣ４０４は、ｐＰＤＳＮ４１０との接続のための一種のルータであるパケット制御部(Packet Control Function: ＰＣＦ)(図示せず)を含む。
【００２８】
　さらに、本発明に従って構内ネットワーク４００は、端末のＩＭＳＩまたはＭＩＮ番号をキー(KEY)にして、端末(ＭＮ)の情報を貯蔵しているデータベース(図示せず)を含む。該データベースは、図３のｐＢＳＭデータサーバ３１４と類似し、端末の等級を貯蔵するか、端末のＭＩＮ／ＩＭＳＩと割り当てられるＩＰアドレスとの間のマッピングテーブルを貯蔵する。
【００２９】
　以下、図３及び図４におけるｐＰＤＳＮの本発明による動作を説明する。ｐＰＤＳＮは、本発明に従い、ＭＮからＩＰアドレス割り当ての要求を受信すると、本発明による等級別のＩＰアドレス割り当てのための端末のＩＭＳＩまたはＭＩＮ番号をキー(KEY)値にして、データベースまたはデータサーバから端末に対応する等級や割り当て可能なＩＰアドレスの情報を要請する。すると、データベースまたはデータサーバは、ＩＭＳＩ(または、ＭＩＮ番号)を利用して前もって登録されている端末に対する等級または割り当て可能なＩＰアドレスの情報を検索してｐＰＤＳＮに伝送する。第１実施形態においてｐＰＤＳＮ２２０は、データベースまたはデータサーバからの情報を利用してＩＰアドレスプールにおいてＩＰアドレスを選択する。つまり、ｐＰＤＳＮは、多様な等級のＩＰアドレスプールのうち端末の等級に対応するＩＰアドレスプールを選択し、対応するＩＰアドレスプールのうちの割り当てできるＩＰアドレスを順次に端末に割り当てる。さらに、第２実施形態においてｐＰＤＳＮは、端末のＭＩＮ／ＩＭＳＩ値などを利用してデータベースまたはデータサーバが有しているＭＩＮ／ＩＭＳＩと割り当てられるＩＰアドレスとの間のマッピングテーブルを利用して端末にＩＰアドレスを割り当てる。
【００３０】
　このように、図３及び図４に示す構成要素のうち、本発明によって端末に対するＩＰアドレス割り当てを遂行する構成要素はｐＰＤＳＮ２２０（３１０，４１０）であり、ｐＰＤＳＮ２２０の構成は、以上の説明のとおりである。勿論、ｐＰＤＳＮ２２０は、ＩＰアドレス割り当てのためのＩＰアドレスプールまたはマッピングテーブルを備えるデータベースまたはデータサーバを統合することができる。また、当該構成以外にも、本発明の実施形態によれば、端末の等級及びそれによるＩＰアドレス割り当てと関連した情報などを貯蔵するデータベースを別途に追加することもできる。
【００３１】
　このようなシステムにおいて本発明は、以下のように実施される。
【００３２】
　図５は、本発明の一実施形態による図であり、端末の等級別のＩＰアドレス割り当てに関するフローチャートである。
【００３３】
　図５に示す過程のうち、５０１段階〜５１９段階（括弧内符号）は、認証、環境設定、接続要請及びＩＰアドレス割り当ての要請などの段階であり、図２に示す一般的なＩＰアドレス割り当てによる過程と同一である。
【００３４】
　一方、一般的なＰＰＰ設定過程を経て５１９段階でＭＮ２００からＩＰアドレスＣＰ＿Ｃｏｎｆｉｇ＿Ｒｅｑｕｅｓｔ(IPCP_Config_Request)を受信したｐＰＤＳＮ２２０は、本発明による等級別のＩＰアドレス割り当てのために、５２１段階で、ＤＢ（データベース）５００にＧｒａｄｅ Ｒｅｑｕｅｓｔを送信する。つまり、ｐＰＤＳＮ２２０は、５２１段階で、端末のＩＭＳＩまたはＭＩＮ番号をキー(KEY)値にして、端末の情報を貯蔵しているＤＢ５００に、端末に対応する等級や割り当てられるＩＰアドレスの情報を要請する。ｐＰＤＳＮ２２０から特定の端末に対する等級などを要請されたＤＢ５００は、５２３段階で、ＩＭＳＩ(または、ＭＩＮ番号)を利用して前もって登録されている端末に対する等級または割り当てられるＩＰアドレスの情報を検索してｐＰＤＳＮ２２０にＧｒａｄｅ　Ｒｅｓｐｏｎｓｅを返信する。
【００３５】
　ＤＢ５００から端末に対する等級情報などを受信したｐＰＤＳＮ２２０は、５２５段階で、当該情報を利用し、ＩＰアドレスプールにおいてＩＰアドレスを選択する。つまり、ｐＰＤＳＮ２２０は、第１実施形態によれば、等級情報を利用して、各等級のＩＰアドレスプールのうち端末の等級に対するＩＰアドレスプールを選択し、そのＩＰアドレスプールの中から割り当てできるＩＰアドレスを順次に端末に割り当てる。そして５２７段階で、ｐＰＤＳＮ２２０が５２５段階で端末に割り当てたＩＰアドレスをＭＮ２００に伝送することによって、端末の等級によるＩＰアドレス割り当てが遂行される。なお、１つのＩＰアドレスプールの中からＩＰアドレスを割り当てる方法については、一般的な公知の技術であるので、それによる別の説明は省略する。
【００３６】
　一方、この多様な等級のＩＰアドレスプールのうち端末の等級に対応するＩＰアドレスプールを選択して端末を割り当てる方法以外に、端末のＭＩＮ／ＩＭＳＩ値などを利用して特定のＩＰアドレスを割り当てる方式の第２実施形態を使用することもできる。端末のＭＩＮ／ＩＭＳＩ値を利用してＩＰアドレス割り当てを遂行する時、ｐＰＤＳＮ２２０は、端末のＭＩＮ／ＩＭＳＩ値と割り当てられるＩＰアドレスとの間のマッピングテーブルを備える。つまり、ｐＰＤＳＮ２２０は、端末のＭＩＮ／ＩＭＳＩ値によってマッピングテーブルから端末のＭＩＮ／ＩＭＳＩ値に対応するＩＰアドレスを選択することによって端末の等級によるＩＰアドレス割り当てを遂行する。
【００３７】
　以上のような本発明の実施形態による過程を実施するために、ｐＰＤＳＮ２２０は、多様な等級のＩＰアドレスプールを管理すべきであり、それぞれのＩＰアドレスプールのＩＰアドレスを挿入／修正／削除できる機能を有するべきである。
【００３８】
　本発明の技術は、また、コンピュータ読み取り可能な記録媒体にコンピュータ判読可能なコードまたはコンピュータ実行可能な命令を通して具現することができる。コンピュータ読み取り可能な記録媒体は、当該記録媒体に記録された命令を処理するプロセッサを含むコンピュータシステムによって判読できるデータを貯蔵する任意のデータ記憶装置(例えば、不揮発性ＲＯＭ、ＲＡＭ、フレキシブルディスク（ＦＤ）、デジタル多用途ディスク(digital versatile discs)、ハードディスクドライブ（ＨＤＤ）、フラッシュＲＯＭ、その他の光及び磁気記録媒体、データ信号を貯蔵する任意の媒体など)である。
【００３９】
　前述の如く、本発明の詳細な説明では具体的な実施形態を参照して詳細に説明してきたが、本発明の範囲はこれら実施形態によって限られるべきではなく、本発明の範囲内で様々な変形が可能であるということは、当該技術分野における通常の知識を持つ者には明らかである。
【図面の簡単な説明】
【００４０】
【図１】私設ＰＤＮシステムのブロック構成図。
【図２】従来のＰＰＰ設定時のフローチャート。
【図３】本発明の一実施形態によるＣＤＭＡ２０００ ３Ｇ−１ｘシステムの構成図。
【図４】本発明の一実施形態によるＣＤＭＡ２０００ ＥＶＤＯシステムの構成図。
【図５】本発明の一実施形態による端末の等級別のＩＰアドレス割り当てを説明するフローチャート。
【符号の説明】
【００４１】
２２０，３１０，４１０　ｐＰＤＳＮ
【図１】
2004104800.tif 000003
【図２】
2004104800.tif 000004
【図３】
2004104800.tif 000005
【図４】
2004104800.tif 000006
【図５】
2004104800.tif 000007